(57)【要約】【課題】  車種やタイプにより設備位置や深さ及び形状の異なるドリンクホルダーならびに設置場所にとらわれることなく使用できる実用価値の高い自動車用灰皿を提供することにある。【解決手段】  自動車のドリンクホルダーに設置して使用できる筒状の灰皿であって、灰皿本体１に側面部材２を嵌合し、その下部にスライドし灰皿の高さを自在に微調節することが可能なスライド底面部材３を取付ける。灰皿本体１の上方には分離可能かつ嵌合可能な蓋部４と曲折機能となるフレキシブルダクト部５を設け、分割構造とすることで用途に応じてフレキシブルダクト部５を取り除き灰皿上部でも高さの変更ができ、ドリンクホルダーを使用せずダッシュボード等の比較的高い位置に灰皿を設置して使用する場合なども考慮し、吸殻投入口に傾斜角を付けられるように構成する。【選択図】図３
0003158895.tif 000002
【実用新案登録請求の範囲】
【請求項１】
自動車のドリンクホルダーに設置して使用できる開閉可能な蓋部及び有底で筒状の灰皿本体と、前記灰皿本体をスライド可能に支持するスライド部とを備える灰皿であって、前記スライド部が前記灰皿本体と係合し、前記灰皿本体を段階的に上下の任意位置に保持する、高さ調節機能を設けたことを特徴とする自動車用灰皿。
【請求項２】
上記蓋部と灰皿本体が分離可能かつ嵌合可能に構成され、前記蓋部と前記灰皿本体との間に、曲折可能なフレキシブルダクト部をさらに取付けたことを特徴とする請求項１に記載の自動車用灰皿。
【考案の詳細な説明】
【技術分野】
【０００１】  本考案は、主として自動車用に使用される灰皿に係り、特に車種やタイプによって設備位置、深さ、形状の異なるドリンクホルダーならびに灰皿の設置場所などにとらわれることなく使用できる高さ調節機能と曲折機能を設けた、自動車用灰皿の改良に関するものである。
【背景技術】
【０００２】  近年、禁煙が広く普及したためか、灰皿を標準で装備せずオプション装備とする車種が増加している。そのため、カー用品店やホームセンター等で自動車用灰皿が数多く販売され、こうした灰皿は主にドリンクホルダーに設置して使用されており、種々の素材を用いたものやデザインのものが作られ始め、自動車の室内装飾品としても注目されている。【０００３】  また、上記ドリンクホルダーにおいても、あらかじめ自動車に標準で装備されている引き出し収納タイプのもの、エアコンの送風口であるエアコンルーバーに取付けるタイプのもの、ドア掛けタイプのものなど多種多様で、それぞれ設備される位置や深さ（長さ）、形状も異なっていることは公然と知られている。
【考案の概要】
【考案が解決しようとする課題】
【０００４】  上述のように、現在では各社から数多くの自動車用灰皿が販売されているが、ドリンクホルダーの設備される位置や深さ及び形状などは車種やタイプによってさまざまであり、場合によっては灰皿を設置して開蓋したときに、車種によってはエアコンのスイッチパネルなどが隠れてしまい、自動車室内の装備機器類の操作性が悪化するという問題点などがあった。【０００５】  また、購入時のパッケージ（梱包紙）には灰皿の寸法が記載はされてはいるが、高さ（長さ）においても多数のものが市場に出回っており、ドリンクホルダーに灰皿を設置したときの開蓋ボタンの位置やドリンクホルダーから灰皿上部が出る高さなどを考察し、その車種に合う（嗜好の高さの）製品を見付けるのに一苦労である。【０００６】  本考案は、上述した自動車用灰皿にさらなる機能を付加し、車種またはタイプによって設備位置や深さ及び形状の異なるドリンクホルダーならびに灰皿の設置場所などにとらわれることなく、使い勝手を向上させる実用価値の高い製品を提供することを目的とするものである。
【課題を解決するための手段】
【０００７】  そこで、本考案にあっては、上記課題を解決するため、灰皿本体１に側面部材２を嵌合し、その下部にスライドし灰皿の高さを自在に微調節することが可能なスライド底面部材３を取付け、スライド機能の上下動操作が円滑に行えるようにスライド底面部材３に一体的に形成されたスライド面３ａを側面部材２に一体的に形成されたスライド面カバー部２ａとの間に抱き込み（挟み込み）脱落するのを防止するものとした。【０００８】  また、灰皿本体１の上方には、分離可能かつ嵌合可能である蓋部４と曲折した状態で形状が安定するフレキシブルダクト部５を設け、分割構造とすることで灰皿上部でも高さの変更ができ、ドリンクホルダーを使用せずダッシュボード等の比較的高い位置に灰皿を設置して使用する場合なども考慮し、吸殻投入口に傾斜角を付けられるものとした。
【考案の効果】
【０００９】  上述のように、本考案の自動車用灰皿は、車種やタイプにより設備位置や深さ及び形状の異なるドリンクホルダーならびに灰皿の設置場所などにとらわれることなく嗜好の高さで使用することができ、さらに、吸殻投入口に用途に応じて嗜好の傾斜角を付けられる機能も兼ね備えたことで、実用効果を格段に向上させた製品とし、安全運転におおいに寄与することができる。
【図面の簡単な説明】
【００１０】
【図１】本考案の自動車用灰皿の蓋部４を開けた状態の斜視図である。
【図２】本考案の自動車用灰皿の分割構造を説明する斜視図である。
【図３】本考案の自動車用灰皿の一実施例を示す斜視図である。
【図４】図３の破断線部を矢印Ａの方向から見たスライド調整の仕組みを示す部分断面図である。
【考案を実施するための形態】
【００１１】  以下、本考案の実施の形態を図１〜図４に従って詳述するが、これによって本考案が限定されるものではない。
【００１２】  図１においては、本考案の自動車用灰皿の一例であり、有底で上方を開口した筒状の灰皿本体１、その灰皿本体１に嵌合された輪状の側面部材２、さらに、その下部に外挿入されたスライド底面部材３、灰皿本体１の上方には開閉可能な蓋部４、上下部を開口したフレキシブルダクト部５とから主として構成されている。
【００１３】  蓋部４、フレキシブルダクト部５、灰皿本体１が図２に示すようにそれぞれの各部材が分離可能かつ嵌合可能であり、車種やタイプで設備位置や深さ、形状が異なるドリンクホルダーに灰皿を設置することによりエアコンの送風口を遮ってしまう場合や、自動車室内の装備機器類の操作に支障をきたす場合など、用途に応じて中間に位置するフレキシブルダクト部５を取り除き灰皿本体１に蓋部４を装着することで、灰皿の高さ（長さ）変更が可能な分割構造となっている。
【００１４】  フレキシブルダクト部５は、空調用（換気用）などに活用されるアルミ製、ステンレス製など、スポットクーラーの送風口に使用される樹脂製などのものと同じ構造の蛇腹状であり、伸縮性に加え曲折した状態で固定できる形状安定性を兼ね備えた高耐久のもので、さらに、耐熱・耐火処理を施したものである。この機能は灰皿の底面に両面テープのようなものを貼着し灰皿をダッシュボード上などに固定するときなど、もしくはエアコンルーバー（エアコン送風口）に取付け可能なドリンクホルダーに設置する場合など、自動車室内で座席に着座している状態で比較的高い位置に灰皿がある場合などに、図３に示すように吸殻投入口に嗜好の傾斜角を付けることが可能で、灰皿の使い勝手を向上させるものである。
【００１５】  スライド底面部材３は、図３に示すように下方に引き出すことでスライドし、灰皿全長の微調節が自在にできるようになっている。また、そのスライド底面部材３と一体的に形成されたスライド面３ａが、側面部材２と一体的に形成されているスライド面カバー部２ａとの間に抱き込まれ（挟み込まれ）外挿入された状態となっており、脱落することなく円滑なスライド上下動操作が可能となっている。すなわち、本考案の自動車用灰皿は各部材を分離可能かつ嵌合可能とすることで高さを大幅に変更でき、尚且つ、スライド機能で微調節もできるように構成されている。
【００１６】  図４においては、図３の破断線部を矢印Ａの方向から見たスライド部を示す側面部分断面図であり、灰皿本体１の外側に側面部材２が嵌合され、それにスライド面３ａが外挿入された状態となっている。側面部材２には、下部に変形可能スライド係止部２ｂを有しており、スライド面３ａの内面に複数のスライド調整溝３ｂが形成され、双方の凹凸部が嵌合することで数ミリ単位での確実な微調節ができるようになっている。この変形可能スライド係止部２ｂは、図４に示すような突起形状のもので比較的柔軟な材質で構成され、スライドさせるときに上下に力を加えることにより、灰皿本体１の方向へ変形（傾斜）することで、円滑なスライド操作ができるものである。
【００１７】  なお、スライド機能及びその仕組みにおいて、上記とは逆の組合せからなるスライド調整溝３ｂを側面部材２に、変形可能スライド係止部２ｂをスライド底面部材３にそれぞれ形成するなど、スライド調節方法をネジ止めとするなどとしてもよいものとする。
【００１８】  そして、本考案では、スライド面３ａを対面２箇所の形象としているが、機能性に応じて数箇所設けるものとする。また、そのスライド面３ａと側面部材２が対向する双方の面（部位）を平面または曲面とするなど、スライド可能な上下幅など、灰皿本体１と側面部材２を一体的に構成するなど、これらも機能性に基づいて適切なものが選ばれるものである。さらに、本考案では自動車用灰皿としたが、一般家庭用などの卓上灰皿に適用しても良いということはいうまでもない。
【符号の説明】
【００１９】  １    灰皿本体
２    側面部材
２ａ  スライド面カバー部
２ｂ  変形可能スライド係止部
３    スライド底面部材
３ａ  スライド面
３ｂ  スライド調整溝
４    蓋部
５    フレキシブルダクト部
Ａ    スライド部分の側面断面図
【図１】
0003158895.tif 000003
【図２】
0003158895.tif 000004
【図３】
0003158895.tif 000005
【図４】
0003158895.tif 000006